【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
物体側より順に、正の屈折力を有する第１レンズ群と、負の屈折力を有する第２レンズ群と、正の屈折力を有する第３レンズ群と、正の屈折力を有する第４レンズ群とを有し、
広角端状態から望遠端状態までレンズ位置状態が変化する際に、前記第１レンズ群と前記第２レンズ群との間隔が増大し、前記第２レンズ群と前記第３レンズ群との間隔が減少し、前記第３レンズ群と前記第４レンズ群との間隔が減少するように、前記第１レンズ群乃至前記第４レンズ群が移動し、
前記第３レンズ群は、正の屈折力を有する少なくとも２つの部分レンズ群を有し、前記部分レンズ群の内の一方の部分レンズ群をシフトレンズ群として、光軸と垂直方向に移動させることによって像をシフトし、
以下の条件式を満足することを特徴とする像シフト可能な高変倍光学系。
０．１２０ ＜ ＤＴ／ｆＴ ＜ ０．２４５
但し、
ＤＴ：望遠端状態における、前記第１レンズ群の最も像側のレンズ面と前記第２レンズ群の最も物体側のレンズ面との空気間隔
ｆＴ：望遠端状態の焦点距離
【請求項２】
以下の条件式を満足することを特徴とする請求項１に記載の像シフト可能な高変倍光学系。
０．８ ＜ （１−βＡ）×βＢ ＜ ３．５
但し、
βＡ：前記シフトレンズ群の横倍率
βＢ：前記シフトレンズ群と像面との間にある光学要素の横倍率
【請求項３】
前記第３レンズ群は、物体側より順に、正の屈折力を有する第３Ａ群と、正の屈折力を有する第３Ｂ群と、負の屈折力を有する第３Ｃ群とから成り、
前記正の屈折力を有するシフトレンズ群は、前記第３Ｂ群であることを特徴とする請求項１または２に記載の像シフト可能な高変倍光学系。
【請求項４】
前記シフトレンズ群に少なくとも１面以上の非球面を有することを特徴とする請求項１から３のいずれか１項に記載の像シフト可能な高変倍光学系。
【請求項５】
前記第２レンズ群は、少なくとも３枚の負レンズと１枚の正レンズとを有することを特徴とする請求項１から４のいずれか１項に記載の像シフト可能な高変倍光学系。
【請求項６】
前記第３Ａ群は、２枚の正レンズと１枚の負レンズとから成ることを特徴とする請求項３に記載の像シフト可能な高変倍光学系。
【請求項７】
前記第３Ｂ群は、１枚の正レンズと１枚の負レンズとから成ることを特徴とする請求項３または６に記載の像シフト可能な高変倍光学系。
【請求項８】
前記第４レンズ群は、レンズ中心からレンズ周辺に行くに従って正の屈折力が弱くなる形状の非球面を少なくとも１面有することを特徴とする請求項１から７のいずれか１項に記載の像シフト可能な高変倍光学系。
【請求項９】
前記第２レンズ群は、フォーカシングレンズ群であることを特徴とする請求項１から８のいずれか１項に記載の像シフト可能な高変倍光学系。
【請求項１０】
前記第２レンズ群と前記第３レンズ群との間に、開口絞りが配置されていることを特徴とする請求項１から９のいずれか１項に記載の像シフト可能な高変倍光学系。
【請求項１１】
前記第１レンズ群から前記第４レンズ群の少なくとも一つのレンズ群は、回折光学素子を有することを特徴とする請求項１から１０のいずれか１項に記載の像シフト可能な高変倍光学系。
【手続補正２】
【補正対象書類名】明細書
【補正対象項目名】００１７
【補正方法】変更
【補正の内容】
【００１７】
（２） ０．８ ＜ （１−βＡ）×βＢ ＜ ３．５
但し、βＡはシフトレンズ群の横倍率、βＢはシフトレンズ群と像面との間にある光学要素の横倍率である。
【手続補正３】
【補正対象書類名】明細書
【補正対象項目名】００４１
【補正方法】変更
【補正の内容】
【００４１】
（表１）
（全体諸元）
広角端状態    中間焦点距離状態    望遠端状態
f     31.169         112.180            299.993
２ω  72.3            21.0                8.0°
FNO    3.6             5.6                6.6
（レンズデータ）
面番号 曲率半径  面間隔 アッベ数 屈折率
1  128.0762    2.000   28.56  1.79504
2   74.7110    8.000   82.52  1.49782
3 -301.4490    0.100
4   62.5606    5.200   82.52  1.49782
5  174.0263     D1
6  133.1122    0.200   38.09  1.55389
7  110.0000    1.000   49.61  1.77250
8   18.5937    4.800
9  -68.9214    1.000   42.72  1.83481
10   80.9399    0.100
11   31.2602    4.200   22.76  1.80809
12  -61.8236    1.200
13  -26.3434    1.000   49.61  1.77250
14  302.0857     D2
15    0.0000    0.500                   （開口絞りＳ）
16   32.0000    3.500   54.66  1.72916
17 -631.6375    0.100
18   21.1207    4.000   82.52  1.49782
19  248.3602    1.000   37.17  1.83400
20   28.9425    3.000
21   49.5392    3.000   49.52  1.74442
22  -39.8231    1.000   23.78  1.84666
23 -121.9266    3.000
24  -26.5552    1.000   42.72  1.83481
25 -220.0557     D3
26   53.1534    4.000   55.34  1.67790
27  -20.4060    0.100
28 -117.6204    4.000   33.80  1.64769
29  -14.2583    1.000   42.72  1.83481
30   71.3854     BF
（非球面係数）
第６面、第２１面、第２６面および第２７面の各レンズ面は非球面であり、非球面係数を以下に示す。
面    κ        C 4         C 6         C 8         C10
6  64.5192  7.6611E-07  1.7093E-09 -2.1081E-11  1.0148E-13
21  -1.0025 -5.4592E-07 -3.9750E-09  2.0368E-11  1.8147E-13
26 -19.8163  1.9335E-07 -2.0631E-08  1.4059E-10  0.0000E-00
27   0.3829  6.9273E-06 -1.0557E-08  1.5108E-10 -3.9880E-13
（可変間隔データ）
焦点距離を変化させる際の可変間隔を以下に示す。
広角端状態   中間焦点距離状態   望遠端状態
f     31.169        112.180          299.993
D1     1.692         38.508           62.092
D2    27.147         12.174            1.502
D3     4.956          0.910            0.033
BF    46.216         82.184          100.098
(像シフト時の諸量)
広角端状態   中間焦点距離状態   望遠端状態
f                            31.169         112.180         299.993
シフトレンズ群の移動量        0.250           0.350           0.450
像の移動量                    0.295           0.673           1.041
（条件式対応値）
（１）  ＤＴ／ｆＴ ＝  ０．２０７
（２）  （１−βＡ）×βＢ＝１．２（広角端状態）〜１．９（中間焦点距離状態）〜２．３（望遠端状態）
【手続補正４】
【補正対象書類名】明細書
【補正対象項目名】００５４
【補正方法】変更
【補正の内容】
【００５４】
（表２）
（全体諸元）
広角端状態    中間焦点距離状態    望遠端状態
f     29.207           115.150           349.995
２ω  75.8              20.5               6.9°
FNO    3.6               6.0               6.7
（レンズデータ）
面番号 曲率半径  面間隔 アッベ数 屈折率
1   95.2158    2.000   28.56  1.79504
2   62.6157    8.200   82.52  1.49782
3 -924.0888    0.100
4   73.6118    5.000   82.52  1.49782
5  303.8324     D1
6  119.3054    0.200   38.09  1.55389
7  100.0000    1.200   49.61  1.77250
18   18.8047    6.417
19  -48.2046    1.000   42.72  1.83481
10   65.6505    0.100
11   34.8008    4.800   22.76  1.80809
12  -44.4934    1.000
13  -24.5572    1.000   49.61  1.77250
14 1817.3930     D2
15    0.0000    0.500                   （開口絞りＳ）
16   27.1464    4.500   55.52  1.69680
17 -150.2724    0.100
18   26.8350    5.000   82.52  1.49782
19  -46.9911    1.000   37.17  1.83400
20   38.4531    3.000
21   45.1473    3.800   49.52  1.74442
22  -68.3823    1.000   23.78  1.84666
23 -181.6270    2.000
24  -36.5030    1.000   42.72  1.83481
25  357.3702     D3
26   60.3036    4.200   55.52  1.69680
27  -24.3217    0.100
28  -83.5169    5.500   33.80  1.64769
29  -13.7618    1.000   42.72  1.83481
30  144.8077     BF
（非球面係数）
第６面、第２１面、第２６面、および第２７面の各レンズ面は非球面であり、以下に非球面係数を示す。
面    κ        C 4         C 6         C 8         C10
6  40.8477  8.7927E-07 -1.6679E-09 -7.6432E-12  1.0148E-13
21   0.3574 -3.3903E-06  9.1445E-09 -2.4850E-11  0.0000E-00
26  -0.5113 -8.1127E-06 -3.1018E-08  1.8406E-10  0.0000E-00
27   2.0550  2.1909E-05 -1.2389E-08  2.0864E-10  0.0000E-00
（可変間隔データ）
焦点距離を変化させる際の可変間隔を以下に示す。
望遠端状態    中間焦点距離状態    広角端状態
f     29.207          115.150           349.995
D1     1.400           38.416            62.500
D2    27.734           12.761             2.089
D3     5.892            1.846             0.970
BF    43.781           86.842           112.269
(像シフト時の諸量)
広角端状態   中間焦点距離状態   望遠端状態
f                            29.207         115.150         349.995
シフトレンズ群の移動量        0.250           0.350           0.450
像の移動量                    0.296           0.724           1.178
（条件式対応値）
（１）  ＤＴ／ｆＴ  ＝  ０．１７９
（２）  （１−βＡ）×βＢ＝１．２（広角端状態）〜２．１（中間焦点距離状態）〜２．６（望遠端状態）
【手続補正５】
【補正対象書類名】明細書
【補正対象項目名】００６６
【補正方法】変更
【補正の内容】
【００６６】
（表３）
（全体諸元）
広角端状態    中間焦点距離状態    望遠端状態
f      30.785          100.428           260.003
２ω   73.0             23.4               9.2°
FNO     3.6              5.2               6.2
（レンズデータ）
面番号 曲率半径  面間隔 アッベ数 屈折率
1  113.0938    2.000   23.78  1.84666
2   77.8725    7.500   82.52  1.49782
3 -392.0046    0.100
4   63.1691    4.500   82.52  1.49782
5  144.9233     D1
6  187.1436    0.200   38.09  1.55389
7  160.7200    1.200   49.61  1.77250
8   19.5404    6.200
9  -57.2837    1.000   42.72  1.83481
10   89.0734    0.100
11   35.5271    4.500   23.78  1.84666
12  -48.5191    1.000
13  -27.5498    1.000   49.61  1.77250
14  274.0976     D2
15    0.0000    0.500                  （開口絞りＳ）
16   30.0000    4.000   55.34  1.67790
17  -79.6551    0.100
18   21.4733    4.500   82.52  1.49782
19 -131.3788    1.000   37.17  1.83400
20   29.5229    2.500
21   46.6074    3.200   49.52  1.74442
22  -50.5322    1.000   23.78  1.84666
23 -178.5738    2.500
24  -27.8094    1.000   42.72  1.83481
25  143.2554     D3
26   87.3995    4.500   55.34  1.67790
27  -21.0343    0.200
28 -102.6584    5.000   34.47  1.63980
29  -14.3797    1.000   42.72  1.83481
30  459.5424     BF
（非球面係）
第６面、第２１面、第２６面、および第２７面の各レンズ面は非球面であり、以下に非球面係数を示す。
面    κ        C 4         C 6         C 8         C10
6   1.0000  3.4488E-06  3.5836E-09 -1.8482E-11  1.2823E-13
21  -5.3475  3.9544E-06 -2.1153E-09  1.2308E-11  1.8147E-13
26 -18.7137 -9.3928E-06 -7.6348E-09  1.4059E-10  0.0000E-00
27   0.7025  4.8101E-06 -1.1899E-08  1.9145E-10 -3.9880E-13
（可変間隔データ）
焦点距離を変化させる際の可変間隔を以下に示す。
広角端状態    中間焦点距離状態    望遠端状態
f     30.785          100.428          260.003
D1     1.791           38.386           61.905
D2    28.018           13.045            2.372
D3     6.467            2.421            1.544
BF    42.136           72.054           90.192
(像シフト時の諸量)
広角端状態   中間焦点距離状態   望遠端状態
f                            30.785         100.428         260.003
シフトレンズ群の移動量        0.250           0.350           0.450
像の移動量                    0.268           0.574           0.902
（条件式対応値）
（１）  ＤＴ／ｆＴ  ＝  ０．２３８
（２）  （１−βＡ）×βＢ＝１．１（広角端状態）〜１．６（中間焦点距離状態）〜２．０（望遠端状態）
【手続補正６】
【補正対象書類名】明細書
【補正対象項目名】００７８
【補正方法】変更
【補正の内容】
【００７８】
（表４）
（全体諸元）
広角端状態    中間焦点距離状態    望遠端状態
f     29.000         105.000           288.000
２ω  76.0            22.4               8.3°
FNO    3.6             5.4               5.9
（レンズデータ）
面番号 曲率半径  面間隔 アッベ数 屈折率
1  126.4186    2.000   32.35 1.85026
2   70.0034    8.500   82.52 1.49782
3 -481.5412    0.100
4   61.9364    6.300   82.52 1.49782
5  326.2642     D1
6  206.3466    0.200   38.09 1.55389
7  155.0000    1.200   49.61 1.77250
8   19.2055    6.400
9  -48.3934    1.000   42.72 1.83481
10   89.2606    0.100
11   36.1705    4.800   23.78 1.84666
12  -41.8254    1.000
13  -25.8295    1.000   49.61 1.77250
14  197.7146     D2
15    0.0000    0.500                  （開口絞りＳ）
16   28.1052    4.500   55.34 1.67790
17 -110.1068    0.100
18   27.8213    5.000   82.52 1.49782
19  -58.2729    1.000   37.17 1.83400
20   41.8777    3.800
21   42.5913    3.800   49.16 1.74001
22  -57.2086    1.000   23.78 1.84666
23 -230.3293    2.700
24  -30.2739    1.000   42.72 1.83481
25  217.1532     D3
26   55.2978    5.800   54.61 1.67440
27  -24.3191    0.150
28  -82.9547    6.500   34.47 1.63980
29  -14.5022    1.000   42.72 1.83481
30  499.5854     BF
（非球面係数）
６面、２１面、２６面、および２７面の各レンズ面は非球面であり、以下に非球面係数を示す。
面    κ        C 4         C 6         C 8         C10
6   1.0000  4.0183E-06  4.0686E-09 -2.4754E-11  1.5099E-13
21  -0.4310 -1.3165E-07 -4.2138E-09  3.4757E-11  1.0724E-13
26 -12.7409  9.5672E-07 -4.9808E-09  1.4920E-10  0.0000E-00
27   0.1485  5.5835E-06 -1.4084E-08  2.1151E-10 -4.0383E-13
（可変間隔データ）
焦点距離を変化させる際の可変間隔を以下に示す。
広角端状態    中間焦点距離状態    望遠端状態
f     29.000          105.000          288.000
D1     1.813           16.856           61.926
D2    27.746           19.801            2.100
D3     5.887            3.883            0.965
BF    39.504           54.503           89.559
(像シフト時の諸量)
広角端状態   中間焦点距離状態   望遠端状態
f                            29.000         105.000         288.000
シフトレンズ群の移動量        0.250           0.350           0.450
像の移動量                    0.277           0.632           0.960
（条件式対応値）
（１）  ＤＴ／ｆＴ  ＝  ０．１７９
（２）  （１−βＡ）×βＢ＝１．１(広角端状態)〜１．８(中間焦点距離状態)〜２．１(望遠端状態)
【手続補正７】
【補正対象書類名】明細書
【補正対象項目名】００９０
【補正方法】変更
【補正の内容】
【００９０】
（表５）
広角端状態    中間焦点距離状態    望遠端状態
f     28.743          99.628           289.713
２ω  77.0            23.7               8.3°
FNO    3.5             5.4               6.3
（レンズデータ）
面番号 曲率半径  面間隔 アッベ数 屈折率
1    94.4674   1.900   23.78  1.84666
2    67.7698   7.500   81.61  1.49700
3  -529.7017   0.100
4    60.3188   4.800   81.61  1.49700
5   135.6483    D1
6   111.7769   0.200   38.09  1.55389
7   105.1950   1.150   49.61  1.77250
8    16.3778   5.800
9   -44.8931   1.000   46.63  1.81600
10    98.5517   0.100
11    32.0133   4.200   22.76  1.80809
12   -49.2124   1.100
13   -27.3224   0.900   42.72  1.83481
14  1744.7263    D2
15     0.0000   0.500                  （開口絞りＳ）
16    32.4669   4.500   64.14  1.51633
17   -42.3952   0.100
18    37.5370   5.000   81.61  1.49700
19   -27.2467   1.000   37.17  1.83400
20   159.3545   3.000
21    60.0000   3.500   58.54  1.65160
22   -27.9361   0.800   46.63  1.81600
23   -57.3368   4.200
24   -36.9720   0.800   54.66  1.72916
25   120.8635    D3
26   150.0000   4.500   55.18  1.66547
27   -39.3664   8.000
28   -40.0000   1.000   54.66  1.72916
29   -62.5642    BF
（非球面係数）
第６面、第１６面、第２１面、第２７面、および第２８面の各レンズ面は非球面であり、以下に非球面係数を示す。
面    κ        C 4         C 6         C 8         C10
6   6.0000  2.1440E-06  2.0424E-09 -5.7444E-11  2.0549E-13
16   0.4048  1.6192E-06  8.8809E-09  0.0000E-00  0.0000E-00
21   0.1975 -1.2413E-07  4.8313E-09  0.0000E-00  0.0000E-00
27  -0.2523  7.8933E-07  4.3698E-09  1.0465E-11  0.0000E-00
28   1.5241 -6.4146E-06 -1.2538E-08  3.8377E-13  0.0000E-00
（可変間隔データ）
焦点距離を変化させる際の可変間隔を以下に示す。
広角端状態    中間焦点距離状態    望遠端状態
f     28.743           99.628           289.713
D1     2.160           36.094            61.516
D2    25.560           10.629             0.005
D3    11.051            3.584             2.629
BF    37.502           75.686            91.283
(像シフト時の諸量)
広角端状態   中間焦点距離状態   望遠端状態
f                            28.743          99.628          289.713
シフトレンズ群の移動量        0.250           0.350            0.450
像の移動量                    0.287           0.643            0.966
（条件式対応値）
（１）  ＤＴ／ｆＴ  ＝  ０．２１２
（２）  （１−βＡ）×βＢ＝１．１（広角端状態）〜１．８（中間焦点距離状態）〜２．１（望遠端状態）
【手続補正８】
【補正対象書類名】明細書
【補正対象項目名】０１０２
【補正方法】変更
【補正の内容】
【０１０２】
（表６）
（全体諸元）
広角端状態    中間焦点距離状態    望遠端状態
f     28.800         100.001           287.999
２ω  77.0            23.7               8.3°
FNO    3.6             5.5               5.8
（レンズデータ）
面番号 曲率半径  面間隔 アッベ数 屈折率
1  115.6310    1.800   28.56  1.79504
2   71.8788    7.200   81.61  1.49700
3 -555.2835    0.100
4   65.0392    5.500   81.61  1.49700
5  232.0570     D1
6  512.2381    0.100   38.09  1.55389
7  180.0000    1.200   53.85  1.71300
8   18.5968    6.500
9  -50.4004    1.000   42.72  1.83481
10   63.9703    0.100
11   39.9492    4.600   23.78  1.84666
12  -50.7514    1.500
13  -25.9825    0.900   49.61  1.77250
14 -100.6446     D2
15    0.0000    0.500          （開口絞りＳ）
16   22.7861    6.000   81.61  1.49700
17  -76.8308    0.100
18   27.0706    4.000   90.30  1.45600
19  304.3279    2.350
20  -54.3445    0.800   40.77  1.88300
21   95.0234    3.150
22   33.1566    4.500   61.18  1.58913
23  -72.2937    0.800   23.78  1.84666
24 -194.8570    6.700
25  -22.3588    0.800   37.17  1.83400
26 -167.7429     D3
27  730.6059    2.800   49.32  1.74320
28  -40.4002    0.100
29 -120.1675    7.400   36.26  1.62004
30  -16.1891    1.000   46.63  1.81600
31  -45.2280     BF
（非球面係数）
第６面、第２２面、第２８面の各レンズ面は非球面であり、非球面係数を意亜Ｋに示す．
面    κ        C 4         C 6         C 8         C10
6   1.0000  5.6868E-06  6.5389E-09 -6.8904E-11  1.5909E-13
22   1.0000 -5.2152E-06  1.2238E-08  6.5604E-11 -4.4646E-13
28   1.0000  1.4105E-05  3.3242E-08 -8.4679E-11  3.5821E-13
（可変間隔データ）
焦点距離を変化させる際の可変間隔を以下に示す。
広角端状態    中間焦点距離状態    望遠端状態
f     28.800         100.001           287.999
D1     1.528          32.944            62.211
D2    33.290          14.442             2.102
D3     4.508           1.422             0.946
BF    38.606          82.076            93.134
(像シフト時の諸量)
広角端状態   中間焦点距離状態   望遠端状態
f                            28.800          100.001         287.999
シフトレンズ群の移動量        0.250            0.350           0.450
像の移動量                    0.272            0.652           0.934
（条件式対応値）
（１）  ＤＴ／ｆＴ  ＝  ０．２１６
（２）  （１−βＡ）×βＢ＝１．１（広角端状態）〜１．９（中間焦点距離状態）〜２．１（望遠端状態）